(57)【特許請求の範囲】
【請求項１】
電子鍵盤楽器から供給される左右２チャネルの入力信号を低域、中域、及び高域の３つの帯域に分割し、低域における左右２チャネルの帯域分割信号、中域における左右２チャネルの帯域分割信号、及び高域における左右２チャネルの帯域分割信号を各々出力する帯域分割手段と、
前記帯域分割手段により分割された各帯域の左右２チャネルの帯域分割信号について、当該帯域の左右２チャネルの帯域分割信号の和であるＭＩＤ成分信号と当該帯域の左右２チャネルの帯域分割信号の差であるＳＩＤＥ成分信号を生成し、各帯域のＭＩＤ成分信号及びＳＩＤＥ成分信号を混合して帯域毎の左右２チャネルの成分混合信号を、中域における左右２チャネルの成分混合信号に占めるＭＩＤ成分信号の割合が低域及び高域の左右２チャネルの成分混合信号に占めるＭＩＤ成分信号の割合よりも小さくなるような混合比率で生成し、各帯域の左チャネルの成分混合信号をヘッドホンの左ヘッドホンユニットに出力するとともに各帯域の右チャネルの成分混合信号を前記ヘッドホンの右ヘッドホンユニットに出力する信号生成手段と
を具備すること
を特徴とする音響特性制御装置。
【請求項２】
前記各帯域の左右２チャネルの成分混合信号を各々について設定された利得で増幅し、増幅した信号を前記左ヘッドホンユニットおよび右ヘッドホンユニットに各々出力する増幅部を具備することを特徴とする請求項１に記載の音響特性制御装置。
【請求項３】
鍵盤を有し、前記鍵盤の操作に応じた左右２チャネルの音信号を出力する電子鍵盤楽器と、
前記電子鍵盤楽器から出力される左右２チャネルの入力信号を低域、中域、及び高域の３つの帯域に分割し、分割した各帯域に属する左右２チャネルの帯域分割信号を各々出力する帯域分割手段と、前記帯域分割手段により分割された各帯域の左右２チャネルの帯域分割信号について、当該帯域の左右２チャネルの帯域分割信号の和であるＭＩＤ成分信号と当該帯域の左右２チャネルの帯域分割信号の差であるＳＩＤＥ成分信号を生成し、各帯域のＭＩＤ成分信号及びＳＩＤＥ成分信号を混合して帯域毎の左右２チャネルの成分混合信号を、中域における左右２チャネルの成分混合信号に占めるＭＩＤ成分信号の割合が低域及び高域の左右２チャネルの成分混合信号に占めるＭＩＤ成分信号の割合よりも小さくなるような混合比率で生成し、各帯域の左チャネルの成分混合信号をヘッドホンの左ヘッドホンユニットに出力するとともに各帯域の右チャネルの成分混合信号を前記ヘッドホンの右ヘッドホンユニットに出力する信号生成手段とを含む音響特性制御装置と
を具備することを特徴とする電子楽器。
【発明の詳細な説明】
【技術分野】
【０００１】
本発明は、電子鍵盤楽器の演奏音をヘッドホンを介して聴取させる場合における音の音像を制御する技術に関する。
【背景技術】
【０００２】
電子ピアノの中には、ヘッドホンを接続するためのジャックを有しているものがある。この種の電子ピアノでは、演奏音を周囲に漏らしたくない場合は、演奏者の頭にヘッドホンを装着するとともに、ヘッドホンのプラグを電子ピアノのジャックに差し込み、この状態で演奏を行う。電子ピアノは、そのジャックにヘッドホンのプラグが差し込まれた状態において、鍵の打鍵を検知すると、打鍵音の左右２チャネルの音データを音源から読み出し、この左右２チャネルの音データを左右２チャネルの音信号としてヘッドホンの左ヘッドホンユニット及び右ヘッドホンユニットに供給する。ヘッドホンの左ヘッドホンユニットは、電子ピアノから供給された左チャネルの音信号を演奏者の左耳に向けて放音し、ヘッドホンの右ヘッドホンユニットは、電子ピアノから供給された右チャネルの音信号を演奏者の右耳に向けて放音する。これにより、演奏者は、電子ピアノの演奏音を周囲に漏らすことなく演奏を行うことができる。
【先行技術文献】
【特許文献】
【０００３】
【特許文献１】特開昭５８−３０３００号公報
【特許文献２】米国特許公報第２０１０／０２４６８３２号明細書
【特許文献３】米国特許５７５１８１７号明細書
【非特許文献】
【０００４】
【非特許文献１】フリッツメンツァー，クリストフファーラー，Stereoto Binaural Conversion Using International Coherence Matching，オーディオエンジニアリングテクノロジーコンベンションペーパー７９８６，グレートブリテン及び北アイルランド連合王国，the128th Convention 2010年4月22日
【発明の開示】
【発明が解決しようとする課題】
【０００５】
しかしながら、電子ピアノの演奏音の聴取にヘッドホンを使用した場合、自然な音の拡がり感が得難いという問題がある。その理由は次の通りである。一般に、電子ピアノの音源内に格納されている左右２チャネルの音データは、アコースティックピアノの周辺に配置した複数のマイクロホンで収音した各鍵の打鍵音をミキシング調整して製作した音のデータとなっている。従って、図２（Ａ）の例に示すように、電子ピアノ１９０の左チャネルの音信号の音及び右チャネルの音信号の音を演奏者の左前方と右前方の各位置（図２（Ａ）の例では、演奏者の正面方向からみて３０度左側の位置と３０度右側の位置）に置いた２つのスピーカ２００Ｌ及び２００Ｒを介して演奏者Ｐに聴かせるようにした場合、左スピーカ２００Ｌから放音される左チャネルの音信号の音が左耳ＥＬだけでなく右耳ＥＲにも聴こえ、右スピーカ２００Ｒから放音される右チャネルの音信号の音が右耳ＥＲだけでなく左耳ＥＬにも聴こえる現象であるクロストークが発生する。ここで、左スピーカ２００Ｌから左耳ＥＬに伝わる音をＡＬとし、右スピーカ２００Ｒから右耳ＥＲに伝わる音をＡＲとし、左スピーカ２００Ｌから右耳ＥＲに伝わる音をＡＬＣＲとし、右スピーカ２００Ｒから左耳ＥＬに伝わる音をＡＲＣＲとすると、音ＡＬが左耳ＥＬに到達する時刻と音ＡＬＣＲが右耳ＥＲに到達する時刻との間には各々の音路長の差に応じた時間差ΔＴＬが生じる。同様に、音ＡＲが右耳ＥＲに到達する時刻と音ＡＲＣＲが左耳ＥＬに到達する時刻との間には各々の音路長の差に応じた時間差ΔＴＲが生じる。よって、この場合、演奏者Ｐは、演奏者Ｐから見て左スピーカ２００Ｌと右スピーカ２００Ｒのある方向にそれらのスピーカ２００Ｌ及び２００Ｒを含む左右方向の拡がりをもった音像があると感じる。
【０００６】
これに対して、図２（Ｂ）の例に示すように、電子ピアノ１９０の演奏音をヘッドホン１９３を介して聴かせるようにした場合、クロストークは発生しない。そして、この場合、演奏者は、自身を挟んだ左右両側の方向から左ヘッドホンユニット１９４Ｌの音ＡＬと右ヘッドホンユニット１９４Ｒの音ＡＲがそれぞれ聴こえる。よって、この場合、演奏者は、自身の前方に音像があるとは感じずに、左右に大きく拡がる音像の中に自身が居ると感じる。
【０００７】
本発明は、このような課題に鑑みてなされたものであり、電子ピアノの演奏音の聴取にヘッドホンを使用した場合において、自然な音の拡がり感が得られる技術的手段を提供することを目的とする。
【課題を解決するための手段】
【０００８】
上記課題を解決するため、本発明は、左右２チャネルの入力信号を複数の帯域に分割し、分割した各帯域に属する左右２チャネルの帯域分割信号を各々出力する帯域分割手段と、前記帯域分割手段により分割された各帯域の左右２チャネルの帯域分割信号について、当該帯域の左右２チャネルの帯域分割信号の和であるＭＩＤ成分信号と当該帯域の左右２チャネルの帯域分割信号の差であるＳＩＤＥ成分信号を生成し、各帯域のＭＩＤ成分信号及びＳＩＤＥ成分信号を混合して帯域毎の左右２チャネルの成分混合信号を生成し、各帯域の左チャネルの成分混合信号をヘッドホンの左ヘッドホンユニットに出力するとともに各帯域の右チャネルの成分混合信号を前記ヘッドホンの右ヘッドホンユニットに出力する信号生成手段とを具備する音響特性制御装置を提供する。
【０００９】
本発明では、左右２チャネルの入力信号を分割した各帯域について、当該帯域のＭＩＤ成分信号とＳＩＤＥ成分信号とを混合して得られる左右２チャネルの成分混合信号を左ヘッドホンユニット及び右ヘッドホンユニットに出力する。よって、各帯域の左右２チャネルの各成分混合信号内におけるＳＩＤＥ成分信号の比率を適切に決定することにより、演奏者が演奏音の聴取にヘッドホンを使用した場合に感じる音像の拡がり感を適度に狭め、より自然な音の拡がり感を創出することができる。
【００１０】
ここで、左右２チャネルのステレオ音声の拡がり感を制御する技術を開示した文献として、特許文献１〜３及び非特許文献１がある。しかし、特許文献１に開示された音場可変装置は、左右２チャネルの音信号Ｌ，Ｒの和Ｍ（Ｍ＝Ｌ＋Ｒ）と差Ｓ（Ｓ＝Ｌ−Ｒ）から信号Ｍと信号Ｓの和信号Ｍ＋Ｓと差信号Ｍ−Ｓを生成し、これらの信号Ｍ＋Ｓ，Ｍ−Ｓを所定量の遅延を与えた上で元の音信号Ｌ，Ｒに加算し、この加算信号Ｌ＋（Ｍ＋Ｓ）及びＲ＋（Ｍ−Ｓ）を出力するものである。また、特許文献２，３の技術は、左右２チャネルのステレオ音声信号に音の発生源から左右の耳に至る区間の頭部伝達関数を畳み込むものである。また、非特許文献１は、分割帯域Δｆ毎に音像の位置を計算し、この位置に定位するように頭部伝達関数を畳み込むものであり、本発明のように鍵盤楽器への適用を想定したものではない。よって、特許文献１〜３及び非特許文献１は、左右２チャネルの音信号の帯域分割と、分割した帯域分割信号の加算、減算、及び増幅とによって音像を制御する技術である本発明とは異なるものである。
【図面の簡単な説明】
【００１１】
【図１】本発明の一実施形態である音響特性制御装置と電子ピアノを含む電子楽器の構成例を示す図である。
【図２】従来技術の問題点を説明するための図である。
【発明を実施するための形態】
【００１２】
以下、図面を参照し、この発明の実施の形態を説明する。
図１は、本発明の一実施形態である音響特性制御装置１０と電子ピアノ９０とを備える電子楽器の構成例を示す図である。この電子楽器では、演奏者Ｐの頭部に装着されるヘッドホン９３と演奏者Ｐにより演奏される電子ピアノ９０とが音響特性制御装置１０を介して接続されている。この電子楽器では、電子ピアノ９０の左右２チャネルの出力信号Ｌ及びＲが音響特性制御装置１０による信号処理を経てヘッドホン９３の左ヘッドホンユニット９４Ｌ及び右ヘッドホンユニット９４Ｒに供給される。図１に示すように、電子ピアノ９０の筐体９９の上面には、最も低いノートナンバの鍵９１−１から最も高いノートナンバの鍵９１−８８に至る８８個の鍵９１−ｋ（ｋ＝１〜８８）が左右方向に並べて配置されている。電子ピアノ９０の音源９２には、鍵９１−ｋ（ｋ＝１〜８８）の各々と対応する８８組の音データＤＬ−ｋ（ｋ＝１〜８８）及びＤＲ−ｋ（ｋ＝１〜８８）が収録されている。１つの鍵９１−ｋと対応する１組の音データＤＬ−ｋ及びＤＲ−ｋは、アコースティックピアノの周辺に配置した複数のマイクロホンにより収音した打鍵音をミキシング調整した音のデータである。この電子ピアノ９０は、筐体９９の上面における鍵９１−ｋが打鍵されると、打鍵された鍵９１−ｋと対応する音データＤＬ−ｋ及びＤＲ−ｋを音源９２から読み出し、この音データＤＬ−ｋ及びＤＲ−ｋを左右２チャネルの音信号Ｌ及びＲとして音響特性制御装置１０に出力する。
【００１３】
次に、音響特性制御装置１０の構成について説明する。音響特性制御装置１０は、帯域分割部１１Ｌ，１１Ｒと信号生成部１２とを有している。帯域分割部１１Ｌは、電子ピアノ９０から与えられる左チャネルの入力信号Ｌを、低域、中域、及び高域の３つの帯域に分割し、低域に属する帯域分割信号ＬＬ、中域に属する帯域分割信号ＬＭ、及び高域に属する帯域分割信号ＬＨを出力する。帯域分割部１１Ｒは、電子ピアノ９０から与えられる右チャネルの入力信号Ｒを、低域、中域、及び高域の３つの帯域に分割し、低域に属する帯域分割信号ＲＬ、中域に属する帯域分割信号ＲＭ、及び高域に属する帯域分割信号ＲＨを出力する。
【００１４】
信号生成部１２は、帯域分割部１１Ｌ，１１Ｒにより分割された各帯域の帯域分割信号ＬＬ、ＬＭ、ＬＨ、ＲＬ、ＲＭ、及びＲＨについて、低域の帯域分割信号ＬＬ及びＲＬの和であるＭＩＤ成分信号ＭＬと両信号ＬＬ及びＲＬの差であるＳＩＤＥ成分信号ＳＬ、中域の帯域分割信号ＬＭ及びＲＭの和であるＭＩＤ成分信号ＭＭと両信号ＬＭ及びＲＭの差であるＳＩＤＥ成分信号ＳＭ、並びに高域の帯域分割信号ＬＨ及びＲＨの和であるＭＩＤ成分信号ＭＨと両信号ＬＨ及びＲＨの差であるＳＩＤＥ成分信号ＳＨを生成する。その上で、信号生成部１２は、低域、中域、及び高域の各帯域のＭＩＤ成分信号ＭＬ，ＭＭ，及びＭＨとＳＩＤＥ成分信号ＳＬ，ＳＭ，及びＳＨについて、同じ帯域のもの同士の和または差を混合して帯域毎の左右２チャネルの成分混合信号ＬＭＸＬ，ＬＭＸＭ，ＬＭＸＨ，ＲＭＸＬ，ＲＭＸＭ，及びＲＭＸＨを生成し、各帯域の左チャネルの成分混合信号ＬＭＸＬ，ＬＭＸＭ，及びＬＭＸＨの和を混合して左ヘッドホンユニット９４Ｌに出力するとともに各帯域の右チャネルの成分混合信号ＲＭＸＬ，ＲＭＸＭ，及びＲＭＸＨの和を混合して右ヘッドホンユニット９４Ｒに出力する。
【００１５】
より詳細に説明すると、信号生成部１２は、低域処理部１３Ｌと、中域処理部１３Ｍと、高域処理部１３Ｈと、加算部１４Ｌ及び１４Ｒとを有する。各部１３Ｌ、１３Ｍ、１３Ｈ、１４Ｌ、及び１４Ｒの役割は次の通りである。低域処理部１３Ｌは、低域の帯域分割信号ＬＬ及びＲＬの和であるＭＩＤ成分信号ＭＬと両信号ＬＬ及びＲＬの差であるＳＩＤＥ成分信号ＳＬを生成し、信号ＭＬ及び信号ＳＬを混合比率αＬ：（１−αＬ２）１／２及びαＬ：−（１−αＬ２）１／２で各々混合して左右２チャネルの成分混合信号ＬＭＸＬ及びＲＭＸＬを生成し、信号ＬＭＸＬ及びＲＭＸＬを各々に固有の利得βＬ及びγＬで増幅した信号ＬＭＸＬ×βＬ及びＲＭＸＬ×γＬを出力する。さらに詳述すると、低域処理部１３Ｌは、加算部１Ｌ、減算部２Ｌ、増幅部３Ｌ、増幅部４Ｌ、加算部５Ｌ、減算部６Ｌ、増幅部７Ｌ、及び増幅部８Ｌを含んでいる。加算部１Ｌは、信号ＬＬと信号ＲＬとを加算し、この加算結果ＬＬ＋ＲＬを信号ＭＬとして出力する。減算部２Ｌは、信号ＬＬから信号ＲＬを減算し、この減算結果ＬＬ−ＲＬを信号ＳＬとして出力する。増幅部３Ｌは、加算部１Ｌの出力信号ＭＬを混合比率αＬで増幅した信号ＭＬ×αＬを出力する。増幅部４Ｌは、減算部２Ｌの出力信号ＳＬを混合比率（１−αＬ２）１／２で増幅した信号ＳＬ×（１−αＬ２）１／２を出力する。ここで、本実施形態では、増幅部３Ｌの混合比率αＬ及び増幅部４Ｌの混合比率（１−αＬ２）１／２の大小関係をαＬ＞（１−αＬ２）１／２と設定する。混合比率αＬは本来０＜αＬ＜１なので、増幅部３Ｌの混合比率αＬの設定範囲は１＞αＬ＞（１／２）１／２となり、増幅部４Ｌの混合比率（１−αＬ２）１／２の設定範囲は（１／２）１／２＞（１−αＬ２）１／２＞０となる。加算部５Ｌは、増幅部３Ｌの出力信号ＭＬ×αＬと増幅部４Ｌの出力信号ＳＬ×（１−αＬ２）１／２を加算し、この加算結果ＭＬ×αＬ＋ＳＬ×（１−αＬ２）１／２を信号ＬＭＸＬとして出力する。減算部６Ｌは、増幅部３Ｌの出力信号ＭＬ×αＬから増幅部４Ｌの出力信号ＳＬ×（１−αＬ２）１／２を減算し、この減算結果ＭＬ×αＬ−ＳＬ×（１−αＬ２）１／２を信号ＲＭＸＬとして出力する。増幅部７Ｌは、加算部５Ｌの出力信号ＬＭＸＬを利得βＬで増幅した信号ＬＭＸＬ×βＬを出力する。増幅部８Ｌは、減算部６Ｌの出力信号ＲＭＸＬを利得γＬで増幅した信号ＲＭＸＬ×γＬを出力する。
【００１６】
中域処理部１３Ｍは、中域の帯域分割信号ＬＭ及びＲＭの和であるＭＩＤ成分信号ＭＭと両信号ＬＭ及びＲＭの差であるＳＩＤＥ成分信号ＳＭを生成し、当該帯域の左右２チャネルの成分混合信号ＬＭＸＭ及びＲＭＸＭに占める信号ＭＭの割合が低域の左右２チャネルの成分混合信号ＬＭＸＬ及びＲＭＸＬに占める信号ＭＬの割合よりも小さくなるような混合比率αＭ：（１−αＭ）１／２（αＭはαＬよりも小さい値）及びαＭ：−（１−αＭ）１／２で信号ＭＭ及び信号ＳＭを各々混合して左右２チャネルの成分混合信号ＬＭＸＭ及びＲＭＸＭを生成し、信号ＬＭＸＭ及びＲＭＸＭを各々に固有の利得βＭ及びγＭで増幅した信号ＬＭＸＭ×βＭ及びＲＭＸＭ×γＭを出力する。さらに詳述すると、中域処理部１３Ｍは、加算部１Ｍ、減算部２Ｍ、増幅部３Ｍ、増幅部４Ｍ、加算部５Ｍ、減算部６Ｍ、増幅部７Ｍ、及び増幅部８Ｍを含んでいる。加算部１Ｍは、信号ＬＭと信号ＲＭとを加算し、この加算結果ＬＭ＋ＲＭを信号ＭＭとして出力する。減算部２Ｍは、信号ＬＭから信号ＲＭを減算し、この減算結果ＬＭ−ＲＭを信号ＳＭとして出力する。増幅部３Ｍは、加算部１Ｍの出力信号ＭＭを混合比率αＭで増幅した信号ＭＭ×αＭを出力する。増幅部４Ｍは、減算部２Ｍの出力信号ＳＭを混合比率（１−αＭ）１／２で増幅した信号ＳＭ×（１−αＭ）１／２を出力する。加算部５Ｍは、増幅部３Ｍの出力信号ＭＭ×αＭと増幅部４Ｍの出力信号ＳＭ×（１−αＭ）１／２を加算し、この加算結果ＭＭ×αＭ＋ＳＭ×（１−αＭ）１／２を信号ＬＭＸＭとして出力する。減算部６Ｍは、増幅部３Ｍの出力信号ＭＭ×αＭから増幅部４Ｍの出力信号ＳＭ×（１−αＭ）１／２を減算し、この減算結果ＭＭ×αＭ−ＳＭ×（１−αＭ）１／２を信号ＲＭＸＭとして出力する。増幅部７Ｍは、加算部５Ｍの出力信号ＬＭＸＭを利得βＭで増幅した信号ＬＭＸＭ×βＭを出力する。増幅部８Ｍは、減算部６Ｍの出力信号ＲＭＸＭを利得γＭで増幅した信号ＲＭＸＭ×γＭを出力する。
【００１７】
高域処理部１３Ｈは、高域の帯域分割信号ＬＨ及びＲＨの和であるＭＩＤ成分信号ＭＨと両信号ＬＨ及びＲＨの差であるＳＩＤＥ成分信号ＳＨを生成し、当該帯域の左右２チャネルの成分混合信号ＬＭＸＨ及びＲＭＸＨに占める信号ＭＨの割合が低域の左右２チャネルの成分混合信号ＬＭＸＬ及びＲＭＸＬに占める信号ＭＬの割合とほぼ同じになるような混合比率αＭ：（１−αＭ）１／２（αＨはαＬとほぼ同じ値）及びαＭ：−（１−αＭ）１／２で信号ＭＨ及び信号ＳＨを各々混合して左右２チャネルの成分混合信号ＬＭＸＭ及びＲＭＸＭを生成し、信号ＬＭＸＨ及びＲＭＸＨを各々に固有の利得βＨ及びγＨで増幅した信号ＬＭＸＨ×βＨ及びＲＭＸＨ×γＨを出力する。さらに詳述すると、高域処理部１３Ｈは、加算部１Ｈ、減算部２Ｈ、増幅部３Ｈ、増幅部４Ｈ、加算部５Ｈ、減算部６Ｈ、増幅部７Ｈ、及び増幅部８Ｈを含んでいる。加算部１Ｈは、信号ＬＨと信号ＲＨとを加算し、この加算結果ＬＨ＋ＲＨを信号ＭＨとして出力する。減算部２Ｈは、信号ＬＨから信号ＲＨを減算し、この減算結果ＬＨ−ＲＨを信号ＳＨとして出力する。増幅部３Ｈは、加算部１Ｈの出力信号ＭＨを混合比率αＨで増幅した信号ＭＨ×αＨを出力する。増幅部４Ｈは、減算部２Ｈの出力信号ＳＨを混合比率（１−αＨ２）１／２で増幅した信号ＳＨ×（１−αＨ２）１／２を出力する。加算部５Ｈは、増幅部３Ｈの出力信号ＭＨ×αＨと増幅部４Ｈの出力信号ＳＨ×（１−αＨ２）１／２を加算し、この加算結果ＭＨ×αＨ＋ＳＨ×（１−αＨ）１／２を信号ＬＭＸＨとして出力する。減算部６Ｈは、増幅部３Ｈの出力信号ＭＨ×αＨから増幅部４Ｈの出力信号ＳＨ×（１−αＨ）１／２を減算し、この減算結果ＭＨ×αＨ−ＳＨ×（１−αＨ）１／２を信号ＲＭＸＨとして出力する。増幅部７Ｈは、加算部５Ｈの出力信号ＬＭＸＨを利得βＨで増幅した信号ＬＭＸＨ×βＨを出力する。増幅部８Ｈは、減算部６Ｈの出力信号ＲＭＸＨを利得γＨで増幅した信号ＲＭＸＨ×γＨを出力する。
【００１８】
加算部１４Ｌは、増幅部７Ｌ，７Ｍ，７Ｈの出力信号ＬＭＸＬ×βL，ＬＭＸＭ×βＭ，ＬＭＸＨ×βＨを加算し、この加算結果ＬＭＸＬ×βL＋ＬＭＸＭ×βＭ＋ＬＭＸＨ×βＨを信号ＬＭＸとして左ヘッドホンユニット９４Ｌに出力する。加算部１４Ｒは、増幅部８Ｌ，８Ｍ，８Ｈの出力信号ＲＭＸＬ×γL，ＲＭＸＭ×γＭ，ＲＭＸＭ×γＨを加算し、この加算結果ＲＭＸＬ×γL＋ＲＭＸＭ×γＭ＋ＲＭＸＨ×γＨを信号ＲＭＸとして右ヘッドホンユニット９４Ｒに出力する。以上の手順によって生成された左右２チャネルの音信号ＬＭＸ及びＲＭＸは、左右のヘッドホンユニット９４Ｌ及び９４Ｒから演奏者Ｐの左耳及び右耳に音として放音される。
【００１９】
以上が、本実施形態の構成の詳細である。この実施形態によると次の効果が得られる。
第１に、本実施形態では、低域について、ＭＩＤ成分信号ＭＬとＳＩＤＥ成分信号ＳＬとを混合して得られる成分混合信号ＬＭＸＬ及びＲＭＸＬを左右のヘッドホンユニット９４Ｌ及び９４Ｒにそれぞれ出力する。また、中域について、ＭＩＤ成分信号ＭＭとＳＩＤＥ成分信号ＳＭとを混合して得られる成分混合信号ＬＭＸＭ及びＲＭＸＭを左右のヘッドホンユニット９４Ｌ及び９４Ｒにそれぞれ出力する。また、高域について、ＭＩＤ成分信号ＭＨとＳＩＤＥ成分信号ＳＨとを混合して得られる成分混合信号ＬＭＸＨ及びＲＭＸＨを左右のヘッドホンユニット９４Ｌ及び９４Ｒにそれぞれ出力する。よって、本実施形態によると、演奏者Ｐが電子ピアノ９０の演奏音の聴取にヘッドホン９３を使用した場合に感じる音像の拡がり感が適度に狭まり、自然な音の拡がり感を創出することができる。
【００２０】
第２に、本実施形態では、中域については、当該帯域の左右２チャネルの成分混合信号ＬＭＸＭ及びＲＭＸＭに占めるＭＩＤ成分信号ＭＭの割合が低域及び高域の左右２チャネルの成分混合信号ＬＭＸＬ，及びＲＭＸＬ，に占めるＭＩＤ成分信号ＭＬの割合よりも小さくなるような混合比率αＭ：（１−αＭ）１／２（αＭ＜αＬ≒αＨ）及びαＭ：−（１−αＭ）１／２でＭＩＤ成分信号ＭＨ及びＳＩＤＥ成分信号ＳＭを各々混合して左右２チャネルの成分混合信号ＬＭＸＭ及びＲＭＸＭを生成する。ここで、ある帯域の左右２チャネルの成分混合信号ＬＭＸ及びＲＭＸに占めるＭＩＤ成分信号Ｍの割合が小さくなるとその帯域の成分混合信号ＬＭＸ及びＲＭＸよって創出される音像は広くなる。よって、本実施形態によると、低域の成分混合信号ＬＭＸＬ及びＲＭＸＬや高域の成分混合信号ＬＭＸＨ及びＲＭＸＨによって創出される音像は中域の成分混合信号ＬＭＸＭ及びＲＭＸＭによって創出される音像に比べて相対的に狭くなる。また、電子ピアノ９０の鍵９１−ｋ（ｋ＝１〜８８）は、ノートナンバの低いものが左に、ノートナンバの高いものが右に配置されている。このため、演奏者Ｐが左側の鍵９１−ｋを打鍵したときの入力信号Ｌ及びＲは低域の成分を多く含んでおり、演奏者Ｐが正面の鍵９１−ｋを打鍵したときの入力信号Ｌ及びＲは中域の成分を多く含んでおり、演奏者Ｐが右側の鍵９１−ｋを打鍵したときの入力信号Ｌ及びＲは高域の成分を多く含んでいる。従って、本実施形態によると、演奏者Ｐが左側や右側の鍵９１−ｋを打鍵したときの音像が演奏者Ｐが正面の鍵９１−ｋを打鍵したときの音像よりも狭くなり、より自然な聴感を演奏者Ｐに与えることができる。
【００２１】
第３に、本実施形態では、低域の成分混合信号ＬＭＸＬ及びＲＭＸＬ、中域の成分混合信号ＬＭＸＭ及びＲＭＸＭ、高域の成分混合信号ＬＭＸＨ及びＲＭＸＨを各々について設定された利得βＬ，γＬ，βＭ，γＭ，βＨ，γＨで増幅し、この増幅を経た各帯域の左チャネルの成分混合信号ＬＭＸＬ×βＬ，ＬＭＸＭ×βＭ，ＬＭＸＨ×βＨ，及び右チャネルの成分混合信号ＲＭＸＬ×γＬ，ＲＭＸＭ×γＭ，ＲＭＸＨ×γＨを左右のヘッドホンユニット９４Ｌ及び９４Ｒに各々出力する。ここで、例えば、低域の左チャネルの成分混合信号ＬＭＸＬの利得βＬの方が低域の右チャネルの成分混合信号ＲＭＸＬの利得γＬよりも大きい場合、演奏者Ｐは左側の鍵９１−ｋを打鍵したときに感じる音像が全体として左に寄っていると感じる。また、高域の右チャネルの成分混合信号ＲＭＸＨの利得γＨよりも高域の左チャネルの成分混合信号ＬＭＸＨの利得βＨの方が小さい場合、演奏者Ｐは右側の鍵９１−ｋを打鍵したときに感じる音像が全体として右に寄っていると感じる。また、中域の左チャネルの成分混合信号ＬＭＸＭの利得βＭと中域の右チャネルの成分混合信号ＲＭＸＭの利得γＭがほぼ同じである場合、演奏者Ｐは中央の鍵９１−ｋを打鍵したときに感じる音像が全体として中央に寄っていると感じる。よって、本実施形態では、例えば、低域における左右２チャネルの成分混合信号ＬＭＸＬ及びＲＭＸＬを左チャネルの成分混合信号ＬＭＸＬの割合が大きくなるような利得βＬ及びγＬ（βＬ＞γＬ）で各々増幅し、中域における左右２チャネルの成分混合信号ＬＭＸＭ及びＲＭＸＭを左チャネルの成分混合信号ＬＭＸＭと右チャネルの成分混合信号ＲＭＸＭの割合が略等しくなるような利得βＭ及びγＭ（βＭ≒γＭ）で各々増幅し、高域における左右２チャネルの成分混合信号ＬＭＸＨ及びＲＭＸＨを左チャネルの成分混合信号ＬＭＸＨの割合が小さくなるような利得βＨ及びγＨ（βＨ＜γＨ）で各々増幅することにより、電子ピアノ９０における演奏者Ｐが押下した鍵９１−ｋのある方向と演奏者Ｐが感じるその鍵９１−ｋの音像の方向とを一致させ、演奏者Ｐにより自然な聴感を与えることができる。
【００２２】
第４に、本実施形態では、ＭＩＤ成分信号ＭＬ及びＳＩＤＥ成分信号ＳＬを混合比率αＬ：（１−αＬ２）１／２及び混合比率αＬ：−（１−αＬ２）１／２で混合し、ＭＩＤ成分信号ＭＭ及びＳＩＤＥ成分信号ＳＭを混合比率αＭ：（１−αＭ２）１／２及び混合比率αＭ：−（１−αＭ２）１／２で混合し、ＭＩＤ成分信号ＭＨ及びＳＩＤＥ成分信号ＳＨを混合比率αＨ：（１−αＨ２）１／２及び混合比率αＨ：−（１−αＨ２）１／２で混合する。ここで、αＬと（１−αＬ２）１／２の２乗和、αＬと−（１−αＬ２）１／２の２乗和、αＭと（１−αＭ２）１／２の２乗和、αＭと−（１−αＭ２）１／２の２乗和、αＨと（１−αＨ２）１／２の２乗和、及びαＨと−（１−αＨ２）１／２の２乗和はいずれも１である。よって、本実施形態によると、演奏者Ｐが感じる演奏音の大きさ（エネルギ量）を変化させずにその音像だけを制御することができる。
【００２３】
＜他の実施形態＞
以上、この発明の一実施形態について説明したが、この発明には他にも実施形態があり得る。例えば、以下の通りである。
（１）上記実施形態では、電子ピアノ９０の左右２チャネルの出力信号Ｌ及びＲを各々３つの帯域に分割した。しかし、信号Ｌ及びＲを２つまたは４つ以上の帯域に分割してもよい。例えば、信号Ｌ及びＲを電子ピアノ９０の鍵９１−ｋ（ｋ＝１〜８８）と同じ８８個の帯域に分割し、ある鍵９１−ｋが打鍵された場合にその打鍵された鍵９１−ｋの位置に音像の拡がりの中心が位置するように各帯域の成分混合信号ＬＭＸ及びＲＭＸにおけるＭＩＤ成分信号ＭとＳＩＤＥ成分信号Ｓの比率を制御するようにしてもよい。
【００２４】
（２）上記実施形態において、各帯域の左右２チャネルの成分混合信号ＬＭＸ及びＲＭＸについての利得βＬ，γＬ，βＭ，γＭ，βＨ，γＨを演奏者の頭部の動きに連動して変化させるようにしてもよい。より具体的には、演奏者の頭部が正面の電子ピアノ９０に対して左側を向くときは、各帯域の左右２チャネルの成分混合信号ＬＭＸＬ，ＲＭＸＬ，ＬＭＸＭ，ＲＭＸＭ，ＬＭＸＨ，ＲＭＸＨによって創出される音像が右側に移動するように利得βＬ，γＬ，βＭ，γＭ，βＨ，γＨを制御し、演奏者の頭部が正面の電子ピアノ９０に対して右側を向くときは、各帯域の左右２チャネルの成分混合信号ＬＭＸＬ，ＲＭＸＬ，ＬＭＸＭ，ＲＭＸＭ，ＬＭＸＨ，ＲＭＸＨによって創出される音像が左側に移動するように利得βＬ，γＬ，βＭ，γＭ，βＨ，γＨを制御するとよい。
【００２５】
（３）上記実施形態は、電子鍵盤楽器である電子ピアノ９０の出力音の制御に本発明を適用したものであった。しかし、電子ピアノ９０以外の、例えば電子パイプオルガンなどの電子鍵盤楽器の出力音の制御に本発明を適用してもよい。また、音高を異にする複数種類の音の発生源を有する楽器（例えば、ドラム，チャイムなど）を模擬した電子楽器の出力音の制御に本発明を適用してもよい。
【００２６】
（４）上記実施形態では、電子ピアノ９０とヘッドホン９３の間に音響特性制御装置１０が介挿されていた。しかし、電子ピアノ９０やその他の電子鍵盤楽器の演奏音のステレオオーディオ信号（例えば、ＥＦＭ（Eight-to-fourteen modulation）やＭＰ３（MPEG Audio
Layer-3））を再生する再生装置とヘッドホン９３の間に音響特性制御装置１０を介挿してもよい。また、この再生装置に音響特性制御装置１０を組み込んだ構成としてもよい。また、電子ピアノ９０と音響特性制御装置１０とを同一筐体に収めて１つの電子楽器を構成してもよい。
【００２７】
（５）上記実施形態において、低域の信号ＭＬ及び信号ＳＬ、中域の信号ＭＭ及び信号ＳＭ、中域の信号ＭＨ及び信号ＳＨを、上記実施形態における混合比率と異なる任意の混合比率で各々混合した信号を各帯域の左右２チャネルの成分混合信号ＬＭＸＬ，ＲＭＸＬ，ＬＭＸＭ，ＲＭＸＭ，ＬＭＸＨ，ＲＭＸＨにしてもよい。
【符号の説明】
【００２８】
１，５，１４…加算部、２，６…減算部、３，４，７，８…増幅部、１０…音響特性制御装置、１１…帯域分割部、１２…信号生成部、９０…電子ピアノ、９１…鍵、９２…音源、９３…ヘッドホン、９４…ヘッドホンユニット。
【図１】
0005772356.tif 000002
【図２】
0005772356.tif 000003